(57)【特許請求の範囲】
【請求項１】
発信相手先終話通知サービスとして、発信相手先が話中の場合に当該電話回線を再捕捉して発信元から所定のダイヤルを送出して相手先終話通知を網側へ登録することにより、網側からの前記発信元への特殊着信による呼び出しで前記発信相手先の終話を通知するサービスが提供されている電話回線に接続される電話装置であって、
前記電話回線を用いて登録した発信相手先終話通知サービスの進行状態を管理する管理手段と、
この管理手段により管理されている前記進行状態を利用者へ通知する通知手段とを備えることを特徴とする電話装置。
【請求項２】
請求項１記載の電話装置において、
前記通知手段は、前記電話回線への特殊着信に応じて、前記進行状態を利用者へ通知することを特徴とする電話装置。
【請求項３】
請求項１記載の電話装置において、
前記通知手段は、少なくとも可視表示および可聴表示のいずれか一方を用いて前記進行状態を表示することを特徴とする電話装置。
【請求項４】
請求項１記載の電話装置において、
前記通知手段は、これら前記進行状態として、発信相手先終話通知サービスを登録した後の特殊着信回数、または発信相手先終話通知サービスの登録開始からの経過時間を通知することを特徴とする電話装置。
【請求項５】
請求項１記載の電話装置において、
前記管理手段は、発信相手先終話通知サービスを登録した後の特殊着信回数を管理し、
前記通知手段は、所定回数目の特殊着信に自動応答して前記電話回線からの音声メッセージを録音し再生することにより進行状態を通知することを特徴とする電話装置。
【発明の詳細な説明】
【０００１】
【発明の属する技術分野】
本発明は、電話装置に関し、特に網側から発信相手先終話通知サービスが提供されている電話回線に接続される電話装置に関するものである。
【０００２】
【従来の技術】
公衆電話網では、加入者に対して発信相手先終話通知サービスが提供されている。このサービスは、発信相手先が話中の場合、発信側電話装置から網側へ所定の登録操作を行うことにより、その後の発信相手先終話を網側から発信側電話装置へ通知するサービスである。
以下、図９〜１１を参照して、発信相手先終話通知サービスについて説明する。図９は発信相手先終話通知サービスの動作を示すシーケンス図、図１０は発信相手先終話通知時の着信信号を示す信号波形図、図１１は発信相手先終話通知のタイミングチャートである。
【０００３】
図９において、発信側電話装置と着信側電話装置とは、それぞれ電話回線を介して電話網に接続されている。まず、発信側電話装置では利用者の操作に応じて電話回線を捕捉し発信相手先すなわち着信側電話装置の電話番号をダイヤル送出することにより、着信側電話装置へ発信したとする（ステップ７０）。
これに応じて電話網では、着信側電話装置の状態をチェックし、着信側電話装置が他の電話装置と話中の場合などその電話回線を捕捉しており呼び出しできない場合は、発信側電話装置に対してビジートーン（ＢＴ）などにより着信側電話装置が使用状態にあることを通知する（ステップ７１）。そして、発信側電話装置は電話回線を切断する（ステップ７２）。
【０００４】
ここで、利用者が着信側へ電話連絡を取りたい場合、発信相手先終話通知サービスを利用するため、サービスの登録操作を行う。
まず、発信側電話装置では、電話回線を捕捉してダイヤル「１５９」を送出する（ステップ７３）。これにより、電話網からサービスの内容に関する音声メッセージが通知される（ステップ７４）。
そして、発信側電話装置からサービスの登録を指示するダイヤル「１」を送出することにより、サービスの登録が行われ（ステップ７５）、電話網からサービス登録の完了に関する音声メッセージが通知され（ステップ７６）、発信相手先終話通知サービスの登録処理が終了する。
【０００５】
これにより、電話網では、発信相手先終話通知サービスを開始し、登録された着信側電話装置の終話に応じて、後述するＳＩＲ着信により発信側電話装置の呼び出しを行う（ステップ８０）。
発信側電話装置でこのＳＩＲ着信に応答した場合（ステップ８１）、電話網から着信側電話装置の終話に関する音声メッセージが通知される（ステップ８２）。これにより利用者は着信側電話装置が終話し、呼び出し可能な状態となったことを知り、一旦、電話回線を切断する（ステップ８３）。
【０００６】
続いて、このサービスを用いた網側からの再発信を指示するため、電話回線を再捕捉してダイヤル「１５９」を送出し（ステップ８４）、これに応じて、電話網からのサービスの内容に関する音声メッセージが通知される（ステップ８５）。
そして、発信側電話装置から網側へ発信相手先への再発信を指示するダイヤル「３」を送出することにより（ステップ８６）、電話網から着信電話装置に対して呼び出しが行われ（ステップ８７）、着信側電話装置での応答に応じて（ステップ８８）、発信側電話装置と着信側電話装置とが電話網を介して接続され、両者間での通話が開始される（ステップ８９）。
【０００７】
このような発信相手先終話通知サービスを利用者が網側へ登録することにより、発信側電話装置で着信側電話装置の終話を知ることができる。また、電話網からの発信相手先終話通知後の簡単な操作で、着信側電話装置を呼び出すことができる。
【０００８】
この発信相手先終話通知サービスでは、電話網から発信側電話装置に対して相手先終話を通知する際、図１０に示すように、通常のＩＲ着信とは異なるＳＩＲ着信が用いられる。
着信の際、アナログ電話回線では１６Ｈｚの周波数信号が用いられており、ＩＲ着信の鳴動パターンは、図１０（ａ）のように、オン期間が１秒間の周波数信号９０からなり、このようなパターンの周波数信号９０，９１，…が３秒周期で繰り返される。
【０００９】
これに対して、ＳＩＲ着信の鳴動パターンでは、図１０（ｂ）に示すように、周波数信号の短いオン期間（ｔ１＝０．２５〜０．３秒）９５Ａに続いて、短いオフ期間（ｔ２＝０．２〜０．３秒）９５Ｂがあり、さらに短いオン期間（ｔ１＝０．２５〜０．３秒）９５Ｃが設けられている。
そして、このような短いオフ期間を挟む、２つのオン期間からなるパターン９５，９６，…が３秒周期で、全１２回（約３６秒間）繰り返される。
【００１０】
電話網では、このようなＳＩＲ着信に対して発信側電話装置が何らかの理由で応答できなかった場合を想定し、図１１に示すように、初回のＳＩＲ着信から５分間隔（Ｔ２）で最大４回にわたり、ＳＩＲ着信を用いて発信側電話装置への呼び出しを行う。
この際、ＳＩＲ着信への応答後のダイヤル「１５９」の送出に続くダイヤル「３」の送出で、電話網から再発信できる期間は、電話網側負荷の低減を考慮して、ＳＩＲ着信への応答から５分以内に制限されている。さらに、ＳＩＲ着信に応答した時点で、発信相手先終話通知サービスが完了したと見なされるため、例えば初回ＳＩＲ着信へ応答した場合、その後の残り３回のＳＩＲ着信は打ち切られる。
【００１１】
また、相手先電話装置の終話を監視する際、電話網側負荷の低減を考慮して、相手先電話装置の終話を監視する期間、すなわち相手終話待ち時間（Ｔ１）をサービス登録時点から４５分までに制限している。
電話網から発信側電話装置への音声メッセージとしては、サービス登録時の登録完了通知メッセージ（Ｍ１）のほか、発信側電話装置によるＳＩＲ着信への応答時に送出される相手先終話通知メッセージ（Ｍ２）がある。また、相手終話待ち時間（Ｔ１）が４５分を越えた場合は、初回となるＳＩＲ着信への応答時に、サービス終了通知メッセージ（Ｍ３）が送出される。
【００１２】
発信相手先終話通知サービスでは、サービス登録時にそのサービスにかかる料金が発信元の電話回線に対して課金される。また、サービス登録が有効な期間すなわち電話網側で発信相手先の終話を監視している期間内においては、回線を捕捉しダイヤル「１５９」に続いてダイヤル「８」を送出することにより、登録した発信相手先の電話番号を確認できる。
また、発信相手先終話通知サービスでは、１つの電話回線で１つの発信相手先しか登録できない。これは、登録される側、すなわち発信相手先についても同様であり、複数の発信元から重複して登録されない。なお、回線を捕捉しダイヤル「１５９」に続いてダイヤル「９」を送出することにより、既に登録されている発信相手先の設定を取り消すことができる。
【００１３】
【発明が解決しようとする課題】
しかしながら、従来の電話装置では、発信相手先終話通知サービスによる電話網側からのＳＩＲ着信に応じて着信音を送出するだけであり、発信相手先終話通知サービスがどのような進行状態であるか利用者が容易に把握できないという問題点があった。例えば、サービス登録後、何らかの理由により利用者がその電話装置から離れた場所へ一時的に移動していた場合には、その間にＳＩＲ着信があったかもしれず、サービスで登録した発信相手先の終話が未だ通知されていないのか、再発信可能な状態なのかどうかを容易に把握できない。
本発明はこのような課題を解決するためのものであり、利用者が発信相手先終話通知サービスの進行状態を容易に把握できる電話装置を提供することを目的としている。
【００１４】
【課題を解決するための手段】
このような目的を達成するために、本発明にかかる電話装置は、発信相手先終話通知サービスとして、発信相手先が話中の場合に当該電話回線を再捕捉して発信元から所定のダイヤルを送出して相手先終話通知を網側へ登録することにより、網側からの発信元への特殊着信による呼び出しで発信相手先の終話を通知するサービスが提供されている電話回線に接続される電話装置であって、電話回線を用いて登録した発信相手先終話通知サービスの進行状態を管理する管理手段と、この管理手段により管理されている進行状態を利用者へ通知する通知手段とを備えるものである。
【００１５】
進行状態を通知する契機としては、電話回線への特殊着信に応じて、進行状態を利用者へ通知するようにしてもよい。
進行状態を通知する方法としては、少なくとも可視表示および可聴表示のいずれか一方を用いて進行状態を表示するようにしてもよい。
通知する進行状態の内容としては、発信相手先終話通知サービスを登録した後の特殊着信回数、または発信相手先終話通知サービスの登録開始からの経過時間を通知するようにしてもよい。
他の通知方法として、発信相手先終話通知サービスを登録した後の特殊着信回数を管理しておき、所定回数目の特殊着信に自動応答して電話回線からの音声メッセージを録音し再生することにより進行状態を通知するようにしてもよい。
【００１６】
【発明の実施の形態】
次に、本発明について図面を参照して説明する。
図１は本発明の一実施の形態にかかる電話装置のブロック図であり、ここでは、発信相手先終話通知サービスが電話網から提供されているアナログ電話回線に接続される単独電話機が例として示されている。
この電話装置には、ダイオードブリッジＤＢ１，ＤＢ２、コンデンサＣ、フックスイッチＨＳ（ＨＳ１，ＨＳ２）、制御回路１，着信信号検出回路２、ブザーＢＺ、ループ閉結回路３、ダイヤル回路４、通話回路５、送受器ＴＲ、増幅回路６、音源回路７、音声録再回路８、ダイヤルキー９、機能キー１０、メモリ１１、表示回路１２、リバース検出部１３、時計回路１４、およびＢＴ（ビジートーン）検出回路１５が設けられている。
【００１７】
ダイオードブリッジＤＢ１は、アナログ電話回線Ｌの両端に接続されており、アナログ電話回線Ｌからのループ電流を整流して後段のループ閉結回路３や通話回路５へ供給する。
ループ閉結回路３は、ダイオードブリッジＤＢ１と通話回路５との間に接続され、制御回路１からの指示に応じてアナログ電話回線Ｌの直流ループを閉結する。このループ閉結回路３と並列してフックスイッチＨＳ１が設けられている。なお、フックスイッチＨＳ１の他の接点ＨＳ２を用いてフックスイッチの状態が制御回路１にも入力されている。
【００１８】
ダイオードブリッジＤＢ２は、コンデンサＣを介してアナログ電話回線Ｌの両端に接続され、通常のＩＲ着信および発信相手先終話通知サービスで用いられるＳＩＲ着信（特殊着信）の際に、電話網から送出される着信信号すなわち１６Ｈｚの周波数信号を整流し、その整流出力を着信信号検出回路２へ供給する。
着信信号検出回路２では、ダイオードブリッジＤＢ２の整流出力から、ＩＲ着信またはＳＩＲ着信の鳴動パターンに応じた周波数信号の有無すなわちオン・オフを示す着信出力信号を制御回路１へ出力する。また着信時の鳴動パターンに応じてブザーＢＺを駆動して着信音を送出する。
【００１９】
リバース検出回路１３では、発信相手先の応答時に電話網からアナログ電話回線Ｌへ送出されるリバース信号（極性反転信号）を検出し、制御回路１へ出力する。
ＢＴ検出回路１５では、アナログ電話回線Ｌから相手先話中を示すＢＴ（ビジートーン）を検出し、制御回路１へ通知する。
ダイヤル回路４では、制御回路１からの指示に応じて、相手先電話番号や発信相手先終話通知サービスで用いるダイヤル「１５９」など、所定のダイヤルをループ閉結回路３を介してアナログ電話回線Ｌへ送出する。
【００２０】
通話回路５では、ループ閉結回路３またはフックスイッチＨＳ（ＨＳ１，ＨＳ２）を介してアナログ電話回線Ｌに接続され、送受器ＴＲを動作させて音声通話を行う。増幅回路６では、通話回路５からの通話音声（スピーカ受話動作の場合）など、各種音声信号を増幅してスピーカＳＰから出力する。
音声録再回路８では、必要に応じて増幅回路６からの通話音声を録音し、また増幅回路６へ再生出力する。音源回路７では利用者への呼び出し音、警報音、確認音など各種の信号音を増幅回路６へ出力する。
【００２１】
制御回路１は、ＣＰＵから構成され、任意の時間長を計時するタイマ１Ａを有し、フックスイッチＨＳ２の状態や、ダイヤルキー９および機能キー１０からの操作入力を検出し、予め制御回路１やメモリ１１に格納されている所定のプログラムにより動作して各回路を制御する。
メモリ１１は、必要に応じて制御回路１で実行するプログラムを予め格納し、また制御回路１１の処理動作に必要な情報を記憶する。処理動作に必要な情報としては、例えば電話装置自体の動作状態や発信相手先終話通知サービスの状態、短縮電話番号、リダイヤル電話番号などを記憶し、さらに空き待ちダイヤルエリアに発信相手先終話通知サービスで登録した発信相手先の電話番号などを記憶する。
【００２２】
音源回路７では、各種呼び出し音、確認音などのほか、再発信有効期間の終了を予告警報するための警報音を、増幅回路６を介してスピーカＳＰから出力する。音声録再回路８では、増幅回路６を介して通話回路５からの音声、例えば通話内容や送受器ＴＲから入力された利用者の音声メッセージを録音し、これを再生して増幅回路６さらには通話回路５へ出力する。
表示回路１２は、ＬＥＤやＬＣＤなどの表示素子を用いて、アナログ電話回線Ｌの状態、電話装置の動作状態を可視表示するほか、発信相手先終話通知サービスの状態、再発信有効期間の経過時間や残り時間を可視表示する。
時計回路１０では、カレンダー管理や時刻計時動作のほか、制御回路１のタイマ１Ａを用いた計時処理のために必要な所定周波数のクロック信号を制御回路１へ供給する。
【００２３】
本実施の形態では、制御回路１において、電話回線を用いて登録した発信相手先終話通知サービスの進行状態を管理し（管理手段）、これにより管理されている発信相手先終話通知サービスの進行状態を利用者へ通知する（通知手段）ようにしたものである。
このとき、電話回線への特殊着信に応じて、進行状態を利用者へ通知し、その表示内容は、少なくとも可視表示および可聴表示のいずれか一方を用いてその進行状態を表示する。
【００２４】
利用者へ通知する進行状態としては、発信相手先終話通知サービスを登録した後の特殊着信回数、または発信相手先終話通知サービスの登録開始からの経過時間を通知する。
また、発信相手先終話通知サービスを登録した後の特殊着信回数を管理し、所定回数目の特殊着信に自動応答して電話回線からの音声メッセージを録音し再生することにより進行状態を通知する。
なお、これら機能手段は、上記した各回路部からなるハードウェア資源と制御回路１で実行されるプログラムによるソフトウェア資源とが共動することにより実現されている。
【００２５】
また、本実施の形態については、図１で示した単独電話機に限定されるものではなく、図２に示すようなアナログ電話回線に接続されるボタン電話装置にも適用可能である。図２は本実施の形態にかかるボタン電話装置を示すブロック図である。
このボタン電話装置は、１本以上のアナログ電話回線３１に接続される主装置３０と、内線伝送路２０を介してこれら主装置３０に接続される複数のボタン電話機（子機）２０Ａ〜２０Ｎから構成されている。
【００２６】
主装置３０には、外線Ｉ／Ｆ部３２、着信信号検出部３３、ＢＴ検出部３４、音声録再部（録再部）３５、Ｔスイッチ３６、内線Ｉ／Ｆ部３７、主制御部３８、および主記憶部３９が設けられている。
外線Ｉ／Ｆ部３２は、電話網からのアナログ電話回線３１に接続され、回線捕捉／切断、リバース検出、ダイヤル送出、アナログ音声の符号／復号処理などの終端制御を回線ごとに個別に行う。
【００２７】
着信信号検出部３３は、外線Ｉ／Ｆ部３２と並列してアナログ電話回線３１に接続され、電話網からの着信信号すなわち１６Ｈｚの周波数信号を回線ごとに個別に検出し、その検出出力を主制御部３８へ出力する。
ＢＴ検出部３４は、外線Ｉ／Ｆ部３２と並列してアナログ電話回線３１に接続され、電話網から相手先話中を示すＢＴ（ビジートーン）を回線ごとに個別に検出し、その検出出力を主制御部３８へ出力する。
【００２８】
内線Ｉ／Ｆ部３７は、内線伝送路２０を介して各ボタン電話機２０Ａ〜２０Ｎとデータ伝送を行うことにより、音声データや制御データをやり取りする。
Ｔスイッチ（時分割スイッチ）３６では、主制御部３８からの指示に応じて外線Ｉ／Ｆ部３２と内線Ｉ／Ｆ部３７との間で符号化された音声データをやり取りすることにより、所定のアナログ電話回線３１とボタン電話機２Ａ〜２Ｎのいずれかとの間の音声通話を形成する。
音声録再部３５は、Ｔスイッチ３６からの音声データを録音し、再生出力する。
【００２９】
主制御部３８は、ＣＰＵから構成され、任意の時間長を計時するタイマ３８Ａを有し、予め主制御部３８や主記憶部３９に格納されている所定のプログラムにより動作して主装置の各部を制御する。
主記憶部３９は、必要に応じて主制御部３８で実行するプログラムを予め格納し、また主制御部３８の処理動作に必要な情報を記憶する。処理動作に必要な情報としては、例えば各アナログ電話回線３１の個別の状態や、ボタン電話機２Ａ〜２Ｎの個別の動作状態、短縮電話番号やリダイヤル電話番号、各アナログ電話回線３１（またはボタン電話機２Ａ〜２Ｎ）ごとの発信相手先終話通知サービスの状態を記憶し、さらに空き待ちダイヤルエリアに発信相手先終話通知サービスに登録した発信相手先の電話番号などを記憶する。
【００３０】
ボタン電話機２Ａ〜２Ｎは、それぞれ同様の構成をなしており、伝送Ｉ／Ｆ部２１、音声処理部２２、子機制御回路２３、操作部２４、表示部２５、メモリ２６が設けられている。
伝送Ｉ／Ｆ部２１では、内線伝送路２０を介して主装置３０の内線Ｉ／Ｆ部３７とデータ伝送することにより、音声データや制御データをやり取りする。
音声処理部２２では、伝送Ｉ／Ｆ部２１で受信された主装置３０からの音声データを復号化して送受器ＴＲやスピーカＳＰへ出力し、送受器ＴＲからの音声信号を音声データへ符号化して伝送Ｉ／Ｆ部２１へ出力する。また、各種呼び出し音、確認音などの他、再発信有効期間の終了を予告警報するための警報音をスピーカＳＰから出力する。
【００３１】
表示部２５は、ＬＥＤやＬＣＤなどの表示素子を用いて、アナログ電話回線３１の状態、当該ボタン電話機の動作状態を可視表示するほか、発信相手先終話通知サービスの状態を可視表示する。
操作部２４では、ダイヤルキーや各種機能キー、例えば外線ボタンや発信相手先終話通知サービスで用いる再発信ボタンなどの操作、およびフックスイッチの状態を検出し操作情報として子機制御部２３へ出力する。
【００３２】
子機制御部２３は、ＣＰＵから構成されており、伝送Ｉ／Ｆ部２１からの制御データを受信して、予め子機制御部２３やメモリ２６に格納されている所定のプログラムにより動作してボタン電話機の各部を制御する。また、操作部２４からの操作情報を取得し、主装置３０への制御データとして伝送Ｉ／Ｆ部２１へ出力する。
メモリ２６は、必要に応じて子機制御部２３で実行するプログラムを予め格納し、また子機制御部２３の処理動作に必要な情報を記憶する。処理動作に必要な情報としては、例えば当該ボタン電話機の動作状態や表示部２５で表示する表示データなどを記憶する。
【００３３】
ＩＲ着信（通常着信）とＳＩＲ着信（特殊着信）とを識別して検出する方法としては、公知の技術を用いることができる。
電話回線がアナログ電話回線の場合、前述した図１０に示すように、ＩＲ着信とＳＩＲ着信とでその鳴動パターンが異なるため、その１６Ｈｚの周波数信号の長さすなわちオン期間長を計時すればよい。
【００３４】
この着信検出の際、周波数信号のオン期間だけでなく周波数信号のオフ期間長も計時することにより、オン期間の途中から着信信号送出が開始された場合でも、ＩＲ着信をＳＩＲ着信と誤判定することがなくなり、ＩＲ着信とＳＩＲ着信とを正確に識別して検出できる。
また、周波数信号のオフ期間の時間長をチェックすることにより、周波数信号のオン期間の時間長のみに基づきＳＩＲ着信の判定を行う場合と比較して、早めに着信検出することができる。これにより、ＳＩＲ着信と利用者による回線発信操作とがほぼ同時に生じる可能性を低減でき、このようなＳＩＲ着信と回線発信動作と衝突による利用者の混乱を低減できる。
【００３５】
以上では、アナログ電話回線に接続される電話装置やボタン電話装置について説明したが、本実施の形態は、アナログ電話回線に接続される電話装置だけでなくデジタルデータ伝送を行うＩＳＤＮ回線に接続される電話装置やボタン電話装置にも適用できる。
ＩＳＤＮ回線では、着信、発信などの呼制御は、すべて網側とやり取りする制御メッセージにより行われる。特に、着信時には、網側から呼設定メッセージが送信される。その呼設定メッセージに含まれる網特有ファシリティ（network-specific facilities）という網側からの情報を参照することにより、その着信がＩＲ着信かＳＩＲ着信かを識別できる。また、発信相手先による応答および話中状態については、網側からの応答メッセージおよび切断メッセージにより確認できる。
【００３６】
図３は、ＩＳＤＮ回線に接続される電話装置を示すブロック図であり、前述の図１と同じまたは同等部分には同一符号を付してある。この電話装置では、図１と比較して外線Ｉ／Ｆ回路１６や音声処理回路１７が新たに設けられている。
外線Ｉ／Ｆ回路１６は、ＩＳＤＮ回線ＬＡに接続され網側とデジタルデータ伝送を行い、網側からの各種制御メッセージを制御回路１へ出力し、音声データを音声処理回路１７へ出力する。また、制御回路１からの各種制御メッセージや音声処理回路１７からの音声データを網側へ送信する。
【００３７】
音声処理回路１７では、外線Ｉ／Ｆ回路１６で受信した網側からの音声データを音声信号へ復号化して送受器ＴＲやスピーカＳＰへ出力し、送受器ＴＲからの音声信号を音声データへ符号化して外線Ｉ／Ｆ回路１６へ出力する。また、音声録再回路８と音声信号あるいは音声データをやり取りするとともに、各種呼び出し音、確認音などの他、再発信有効期間の終了を予告警報するための警報音をスピーカＳＰから出力する。
【００３８】
図４は、ＩＳＤＮ回線に接続されるボタン電話装置の主装置を示すブロック図であり、前述の図２と同じまたは同等部分には同一符号を付してある。このボタン電話装置では、図２の外線Ｉ／Ｆ部３２に代えて、ＩＳＤＮ回線３１Ａ用の外線Ｉ／Ｆ部３２Ａが設けられている。
外線Ｉ／Ｆ部３２Ａは、ＩＳＤＮ回線３１Ａに接続され網側とデジタルデータ伝送を行い、網側からの各種制御メッセージを主制御部３８へ出力し、音声データをＴスイッチ３６へ出力する。また、主制御部３８からの各種制御メッセージやＴスイッチ３６からの音声データを網側へ送信する。
【００３９】
次に、図面を参照して、本実施の形態の動作について、図１に示した電話装置を例として説明する。
図５を参照して、回線発信処理について説明する。図５は回線発信処理を示すフローチャートである。
図１の電話装置では、利用者によるオフフック操作に応じたフックスイッチＨＳ１（ＨＳ２）の動作により、アナログ電話回線Ｌが捕捉される（ステップ１００）。そして、ダイヤルキー９から入力された発信相手先の電話番号や、メモリ１１に格納されている発信相手先の電話番号に基づき、制御回路１がダイヤル回路４を制御して、ループ閉結回路３からアナログ電話回線Ｌへダイヤルを送出する（ステップ１０１）。
【００４０】
その後、網側でその電話番号に応じた発信相手先を呼び出す。このとき、発信相手先の電話回線が他の相手先と通話状態にあった場合、網側からアナログ電話回線ＬへＢＴ（ビジートーン）が送信される。
制御回路１では、ＢＴ検出回路１５の出力に基づきＢＴの有無すなわち相手話中を確認し（ステップ１０２）、ＢＴが検出されなかった場合は（ステップ１０２：ＹＥＳ）、通常の通話処理へ移行して（ステップ１０３）、一連の処理を終了する。
一方、ＢＴが検出されて相手話中が確認された場合は（ステップ１０２：ＹＥＳ）、利用者の機能キー例えば再発信ボタンの押下、すなわちサービス登録要求操作により、終話通知サービスの登録要求が行われたかどうかチェックする（ステップ１０４）。
【００４１】
終話通知サービス登録要求があった場合は（ステップ１０４：ＹＥＳ）、網側に対して終話通知サービスの登録を行った後（ステップ１０５）、利用者から発信相手先へ伝える用件を、受話器ＴＲから増幅回路６を介して音声録再回路８へ音声メッセージで録音し（ステップ１０６）、一連の処理を終了する。
また、ステップ１０４で終話通知サービス登録要求がなく（ステップ１０４：ＮＯ）、利用者によるオンフックなどの終話操作があった場合は（ステップ１０７：ＹＥＳ）、その終話操作により、アナログ電話回線Ｌが開放されて（ステップ１０８）、一連の処理を終了する。
【００４２】
ここで、図６を参照して、ステップ１０５のサービス登録処理について説明する。図６はサービス登録処理を示すフローチャートである。
制御回路１は、まず、先程送出した発信相手先の電話番号を、以降の再発信に備えて、メモリ１１の空き待ちダイヤルエリアへ記憶する（ステップ１１０）。このとき、送出した発信相手先の電話番号は、通常、メモリ１１にリダイヤルデータとして格納されており、それを利用してもよい。
【００４３】
そして、ループ閉結回路３を制御して、フッキング信号をアナログ電話回線Ｌへ送出することにより回線再捕捉し（ステップ１１１）、発信相手先終話通知サービスの登録要求を示すダイヤル「１５９Ｐ１」を送出する（ステップ１１２）。なお、「Ｐ」はダイヤル送出を一時的に停止するポーズを意味しており、必要に応じて挿入され、またその期間が設定される（以下、同様である）。
これにより、網側で発信相手先終話通知サービスの登録が行われ、その後、制御回路１では、ループ閉結回路３を制御してアナログ電話回線Ｌを開放する（ステップ１１３）。
【００４４】
続いて、制御回路１は、発信相手先終話通知サービスの進行状態管理として、タイマ１Ａを制御して、発信相手先終話通知サービスで規定されている空き待ち期間、すなわち発信相手先の終話監視を行う最長期間（４５分）を計時する空き待ちタイマを起動し（ステップ１１４）、表示回路１２を制御して、空き待ちタイマの計時内容に基づき、進行状態ここではサービス登録からの経過時間の表示を開始する（ステップ１１５）。
さらに、登録した発信相手先終話通知サービスに関するＳＩＲ着信回数をクリアして（ステップ１１６）、一連の処理を終了する。
【００４５】
次に、図７を参照して、アナログ電話回線ＬへのＳＩＲ着信が検出された後に実行されるＳＩＲ着信処理について説明する。図７はＳＩＲ着信処理を示すフローチャートである。
制御回路１では、ＳＩＲ着信検出時、まず、前述のサービス登録処理で起動した空き待ちタイマ（４５分）がタイムアップしているかどうかチェックし（ステップ１２０）、タイムアップしていない場合は（ステップ１２０：ＮＯ）、その空き待ちタイマを停止し（ステップ１２１）、ＳＩＲ着信回数を＋１する（ステップ１２２）。
【００４６】
そして、そのＳＩＲ着信回数が、発信相手先終話通知サービスで規定されている最大ＳＩＲ着信回数（４回）に到達したかどうかチェックし（ステップ１２３）、到達していない場合は（ステップ１２３：ＮＯ）、発信相手先終話通知サービスで登録しておいた発信相手先の終話したことと、そのＳＩＲ着信回数を表示回路１２で表示し、利用者にサービスの進行状態を表示する（ステップ１２４）。
【００４７】
また、ＳＩＲ着信回数が最大ＳＩＲ着信回数（４回）に到達した場合は（ステップ１２３：ＹＥＳ）、利用者により電話装置の動作モード設定として、予め留守設定が行われているかどうかチェックし（ステップ１２５）、留守設定が行われていない場合は（ステップ１２５：ＮＯ）、ステップ１２４へ移行する。
一方、留守設定が行われている場合は（ステップ１２５：ＹＥＳ）、ループ閉結回路３を制御してアナログ電話回線Ｌを捕捉することにより当該ＳＩＲ着信へ応答し（ステップ１２６）、そのアナログ電話回線Ｌを介して網側から送出される音声メッセージを録音し（ステップ１２７）、一連の処理を終了する。
この通話録音については、音声録再回路８を制御して、通話回路５および増幅回路６を介して得られた網側からの音声メッセージを録音する。
【００４８】
このように、発信相手先終話通知サービスを登録した後のＳＩＲ着信が所定回数に達した場合に、そのＳＩＲ着信への応答後に網側から送出される音声メッセージを録音するようにしたので、その後に利用者がその通話録音内容を再生することにより、発信相手先終話通知サービスの進行状態が、現在、どのような状態であるかを音声メッセージで確認できる。
特に、発信相手先終話通知サービスでは、前述の図１０で示したように、４回のＳＩＲ着信があり、３回目のＳＩＲ着信までは利用者がたまたま着信応答できなかったとしても、次のＳＩＲ着信で応答できる。したがって、４回目の最後のＳＩＲ着信の音声メッセージを録音しておけば、最低限の録音でサービスの進行状態を利用者に対して適切に通知できる。
【００４９】
ステップ１２０において、空き待ちタイマがタイムアップしていた場合は、留守設定されているかどうかチェックし（ステップ１２８）、設定されている場合は（ステップ１２８：ＹＥＳ）、ステップ１２６へ移行する。また、留守設定されていない場合は（ステップ１２８：ＹＥＳ）、発信相手先終話サービスによる相手終話待ちが終了した旨を表示回路１２で表示し、一連の処理を終了する。
【００５０】
以上では、図１の単独電話機を例として説明したが、図２のボタン電話装置では主制御部３８が制御回路１の役割を果たすことになり、前述と同様にして本発明を実施でき、同様の作用効果が得られる。なお、ボタン電話装置では、発信相手先終話通知サービスを登録した電話回線とボタン電話機とを関連付けて主記憶部３９で管理しておき、ＳＩＲ着信時の着信音などを、そのＳＩＲ着信があった電話回線に対応するボタン電話機から出力すればよい。
また、これらアナログ電話回線に接続されるものではなく、図３，４に示すようなＩＳＤＮ回線に接続される単独電話機やボタン電話装置については、着信検出やＢＴ検出、相手応答検出を制御メッセージで行う点がアナログ電話回線の場合と異なるものの、前述と同様にして本発明を実施でき、同様の作用効果が得られる。
【００５１】
【発明の効果】
以上説明したように、本発明は、発信相手先終話通知サービスとして、発信相手先が話中の場合に当該電話回線を再捕捉して発信元から所定のダイヤルを送出して相手先終話通知を網側へ登録することにより、網側からの発信元への特殊着信による呼び出しで発信相手先の終話を通知するサービスが提供されている電話回線に接続される電話装置において、特殊着信による発信相手先の終話通知に応じて、電話回線を再捕捉してその発信相手先への再発信を行う再発信手段と、この再発信手段による再発信に応じた発信相手先の応答に応じて、予め登録されている音声メッセージを電話回線へ送出するメッセージ送出手段とを設け、その再発信に応じた発信相手先の応答に応じて、予め登録されている音声メッセージを電話回線へ送出するようにしたものである。
これにより、発信相手先終話通知サービスの登録時に用件録音しておいた利用者の音声メッセージが、発信相手先へ通知されるものとなり、利用者が何らかの理由によりその電話装置から離れた場所へ移動しなければならない場合でも、発信相手先終話通知サービスを用いて発信相手先へ所望の用件を確実に伝えることができる。
【図面の簡単な説明】
【図１】  本発明の一実施の形態にかかる電話装置（アナログ電話回線用単独電話機）を示すブロック図である。
【図２】  本発明の一実施の形態にかかる電話装置（アナログ電話回線用ボタン電話装置）を示すブロック図である。
【図３】  本発明の一実施の形態にかかる電話装置（ＩＳＤＮ回線用単独電話機）を示すブロック図である。
【図４】  本発明の一実施の形態にボタン電話装置（ＩＳＤＮ回線用ボタン電話装置）の主装置を示すブロック図である。
【図５】  回線発信処理を示すフローチャートである。
【図６】  サービス登録処理を示すフローチャートである。
【図７】  ＳＩＲ着信処理を示すを示すフローチャートである。
【図８】  発信相手先終話通知サービスの処理動作を示すシーケンス図である。
【図９】  発信相手先終話通知時の着信信号を示す信号波形図である。
【図１０】  発信相手先終話通知のタイミングチャートである。
【符号の説明】
１…制御回路、１Ａ…タイマ、２…着信信号検出回路、３…ループ閉結回路、４…ダイヤル回路、５…通話回路、６…増幅回路、７…音源回路、８…音声録再回路、９…ダイヤルキー、１０…機能キー、１１…メモリ、１２…表示回路、１３…リバース検出回路、１４…時計回路、１５…ＢＴ検出回路、１６…外線Ｉ／Ｆ回路、１７…音声処理回路、ＨＳ１，ＨＳ２…フックスイッチ、Ｌ…アナログ電話回線、ＬＡ…ＩＳＤＮ回線、２０Ａ〜２０Ｎ…ボタン電話機、２０…内線伝送路、２１…伝送Ｉ／Ｆ部、２２…音声処理部、２３…子機制御部、２４…操作部、２５…表示部、２６…メモリ、３０…主装置、３１…アナログ電話回線、３１Ａ…ＩＳＤＮ回線、３２…外線Ｉ／Ｆ部、３２Ａ…外線Ｉ／Ｆ部、３３…着信信号検出部、３４…ＢＴ検出部、３５…音声録再部、３６…Ｔスイッチ、３７…内線Ｉ／Ｆ部、３８…主制御部、３８Ａ…タイマ、３９…主記憶部。
【図１】
0003695311.tif 000002
【図２】
0003695311.tif 000003
【図３】
0003695311.tif 000004
【図４】
0003695311.tif 000005
【図５】
0003695311.tif 000006
【図６】
0003695311.tif 000007
【図７】
0003695311.tif 000008
【図８】
0003695311.tif 000009
【図９】
0003695311.tif 000010
【図１０】
0003695311.tif 000011